(57)【特許請求の範囲】
【請求項１】
棒状の軸部とこの軸部の端部に設けられる網状の袋で形成された耳かき部とを備えて、前記耳かき部の中に空間を形成すると共に前記軸部の中に空気通路を設け、吸引式耳かき具として使用できるようにし、前記軸部の一端部に設けられた前記空気通路の吸い込み口を前記耳かき部の中の空間内に設けると共に他端部を吸引装置に連結して吸引することができるようにしたことを特徴とする耳かき具。
【発明の詳細な説明】
【技術分野】
【０００１】  本発明は、耳垢を除去するための耳かき具に関するものである。
【背景技術】
【０００２】  従来、耳垢を取る用具として先端を湾曲させた物、スプーン状の物又は綿棒で耳垢を取るのが一般的であった（例えば、特許文献１参照）。【０００３】  また、吸引式耳かき具として吸引装置を設けたものもある。これはスプーン状の耳かき部の後部に吸い込み口を設けて吸引装置で吸引するというものであった（例えば、特許文献２参照）。
【先行技術文献】
【特許文献】
【０００４】
【特許文献１】  特開２００６−１７５１９５号  公報
【特許文献２】  特開平７−２６５２２６号  公報
【発明の概要】
【発明が解決しようとする課題】
【０００５】  しかし、先端を湾曲させた物、スプーン状の物で耳垢を取る場合、先端部分に圧力がかかり、少し強く力を入れてしまうと耳を傷めてしまうことがあった。また細かく散らばっている耳垢を取るのに不便であった。また綿棒で耳垢を取る場合、すべりやすく耳に少し強くついている耳垢を取り出すのが不便であった。【０００６】  また、従来の吸引式耳かき具は、スプーン状の耳かき部の後部に吸い込み口があり、この吸い込み口が直接耳に触れて耳を傷める心配があった、また耳かき部と吸い込み口のある特定の向きでしか耳かき吸引ができなかった。【０００７】  そこで、本発明は上記問題点を解決するもので、１箇所に圧力がかかり耳を傷める心配もなく、細かい耳垢も簡単に除去できる耳かき具を提供する。【０００８】
また、吸引式耳かき具として使用できて、吸い込み口が直接耳に触れることもなく安全に耳垢の吸引ができ、耳かき部と吸い込み口の向きに関係なく、全周面に亘って耳かき吸引ができる耳かき具を提供することを目的とする。
【課題を解決するための手段】
【０００９】
そこで耳かき具に係る本発明は、棒状の軸部とこの軸部の端部に設けられる網状の袋で形成された耳かき部とを備えて、前記耳かき部の中に空間を形成すると共に前記軸部の中に空気通路を設け、吸引式耳かき具として使用できるようにし、前記軸部の一端部に設けられた前記空気通路の吸い込み口を前記耳かき部の中の空間内に設けると共に他端部を吸引装置に連結して吸引することができるようにしたことを特徴とする。
【発明の効果】
【００１２】
本発明の耳かき具によれば、棒状の軸部とこの軸部の端部に設けられる網状の袋で形成された耳かき部とを備え、この網状の耳かき部の面で耳かきを行うので、１箇所に圧力がかかって耳を傷める心配もない。また、網状の耳かき部の中には空間が形成されているので、網目に耳垢が絡まりやすく、細かい耳垢も網目に入り除去することができる。
【００１４】
さらに、吸引式耳かき具として使用でき、網状の耳かき部の面で耳かきを行って、網目から入った耳垢を吸い込み口から吸引するというもので、前記吸い込み口が網状の袋に形成した耳かき部の中の空間内にあるので、直接耳に触れることもなく安全に耳垢を吸引できる。また、特定の向きに関係なく、全周面に亘って耳かき吸引ができる耳かき具を提供できる。
【図面の簡単な説明】
【００１５】
【図１】  本発明の正面図である。
【図２】  本発明の拡大左側面図である。
【図３】  本発明の棒状の軸部１を網状の袋でできた耳かき部２の中を耳かき部の先端板部３まで通した正面図である。
【図４】  本発明の耳かき部２の網目を軸部１の長手方向に対して平行及び垂直にしたものである。
【図５】  本発明の図４の耳かき部２のＡ−Ａ線部に線材の補強材４をいれた拡大断面図である。
【図６】  本発明の図４の耳かき部２のＡ−Ａ線部全体に補強材４をいれた拡大断面図である。
【図７】  本発明の吸引式耳かき具の正面図である。
【図８】  本発明の吸引式耳かき具の拡大左側面図である。
【図９】  本発明の吸引式耳かき具のＢ−Ｂ線断面図である。
【発明を実施するための形態】
【００１６】  以下、本発明の実施の形態を図１〜図９に基づいて説明する。
【００１７】  図１に示すように棒状の軸部１の端部に網状の袋で形成された耳かき部２を設ける。耳かき部２の中に空間Ｓが形成される。また耳かき部２の先端部分に板部３を設けるのが好ましい。
【００１８】  軸部１及び耳かき部２は、合成樹脂で成形するが、ステンレス、チタン、硬質ゴムあるいは木材、硬質の紙などある程度硬質であればよい。
【００１９】  また、棒状の軸部１の端部に耳かき部２を取り付ける場合、材質によって異なるが、溶接、接着剤、はめ込み式にして取り付ける。また軸部１と耳かき部２を分けないで最初から一体化して成形してもよい。
【００２０】  また、棒状の軸部１の端部を耳かき部２の中を通して、耳かき部２の先端板部３まで伸ばしてもよい。この場合でも、伸ばした棒状の軸部１と耳かき部２の間に空間Ｓができる（図３参照）。
【００２１】  耳かき部２の網目の方向は、図１で示すとおり棒状の軸部１の長手方向に対して斜めであるが、平行及び垂直にしてもよい（図４参照）。
【００２２】  耳かき部２を網状の袋に形成する際、やや弱い材質を使用した時は、この網状の袋の中の空間部分に耳かき部２の内径と同径の線材の補強材４を入れ固定する（図５参照）。また図６に示すように前記補強材４を耳かき部２の内径と同径の円板で形成してもよい。ただこの場合は、この部分だけは空間にならない。
【００２３】  また、吸引式耳かき具として使用する場合、軸部５及び耳かき部２は、合成樹脂で成形するが、ステンレス、チタン、硬質ゴムなどある程度硬質であればよい。以下、吸引式耳かき具として使用する場合の実施の形態について説明する（図７参照）。
【００２４】  棒状の軸部５の中に空気通路７を設けたもので、耳かき部２の中の空間部分に軸部５の端部を設け、そこを空気通路７の一端部として吸い込み口６を設け、空気通路７の他端部を吸引装置８に連結する。耳かき部２により取れた耳垢が、吸引装置８の吸引作用により吸い込み口６から吸い込まれ空気通路７を通って吸引されるというものである。
【００２５】
耳かき部２は網状の袋に形成するが、形としてはにわとりのたまご型にして、網目はやや大きめにするのが好ましい。以上のように、吸い込み口が網状の袋に形成した耳かき部の中の空間内にあるので、特定の向きに関係なく、全周面に亘って安全に耳垢の吸引ができる。
【符号の説明】
【００２６】１、５  軸部
２  耳かき部
３  耳かき部の先端板部
４  補強材
６  吸い込み口
７  空気通路
８  吸引装置
Ｓ  空間
【要約】      （修正有）【課題】１箇所に圧力がかかり耳を痛める心配がなく、細かい耳垢も簡単に除去できる耳かき具を提供する。【解決手段】棒状の軸部１とこの軸部の端部に設けられる網状の袋で形成された耳かき部２で構成され、この耳かき部２の中には空間Ｓが形成される。耳かきは、網状の面で行うので１箇所に圧力がかかり耳を傷める心配もなく、細かい耳垢も網目に入り除去することができる。また、吸引式耳かき具として使用する場合は軸部１の中に空気通路を設け、耳かき部２の中の空間部分に吸い込み口として前記空気通路の一端部を設け、他端部を吸引装置に連結して吸引することができるようにしたものである。【選択図】図１【図１】
0004766410.tif 000002
【図２】
0004766410.tif 000003
【図３】
0004766410.tif 000004
【図４】
0004766410.tif 000005
【図５】
0004766410.tif 000006
【図６】
0004766410.tif 000007
【図７】
0004766410.tif 000008
【図８】
0004766410.tif 000009
【図９】
0004766410.tif 000010